(57)【要約】【課題】簡単な構成で脱臭フィルタの全体に効率良く水を供給できる衛生洗浄装置を提供する。【解決手段】ケーシングと、ケーシング内に設けられ、トイレルーム内の空気を脱臭する脱臭ユニットであって、トイレルーム内の空気を吸引する送風部と、送風部が吸い込んだ空気を排気口に導くダクト部と、ダクト部内に設けられ、送風部により吸引された空気が通過する脱臭フィルタと、ダクト部内において脱臭フィルタの上方に設けられ、上方から脱臭フィルタに水を噴霧する噴霧ノズルを有する噴霧部と、を有する脱臭ユニットと、を備え、噴霧部の噴霧範囲は、脱臭フィルタの上面よりも広く、ダクト部は、脱臭フィルタの上方を覆う天井面と、天井面から下方に延び、噴霧部から噴霧された水が脱臭フィルタの外側に広がることを抑制する拡散抑制部と、を有することを特徴とする衛生洗浄装置である。【選択図】図１４
2018031210.tif 000002
【特許請求の範囲】
【請求項１】
ケーシングと、
前記ケーシング内に設けられ、トイレルーム内の空気を脱臭する脱臭ユニットであって、
トイレルーム内の空気を吸引する送風部と、
前記送風部が吸い込んだ空気を排気口に導くダクト部と、
前記ダクト部内に設けられ、前記送風部により吸引された空気が通過する脱臭フィルタと、
前記ダクト部内において前記脱臭フィルタの上方に設けられ、上方から前記脱臭フィルタに水を噴霧する噴霧ノズルを有する噴霧部と、
を有する脱臭ユニットと、
を備え、
前記噴霧部の噴霧範囲は、前記脱臭フィルタの上面よりも広く、
前記ダクト部は、
前記脱臭フィルタの上方を覆う天井面と、
前記天井面から下方に延び、前記噴霧部から噴霧された水が前記脱臭フィルタの外側に広がることを抑制する拡散抑制部と、
を有することを特徴とする衛生洗浄装置。
【請求項２】
前記拡散抑制部は、上下方向において前記脱臭フィルタと重なる位置に配置されていることを特徴とする請求項１記載の衛生洗浄装置。
【請求項３】
前記噴霧部は、前記脱臭フィルタの端部上方に前記噴霧ノズルを配置し、斜め下方に向けて水を噴霧することを特徴とする請求項１又は２に記載の衛生洗浄装置。
【請求項４】
前記拡散抑制部は、前記噴霧ノズルと対向する対向面を有し、
前記対向面は、前記噴霧部の噴霧方向に向かって下降傾斜することを特徴とする請求項３記載の衛生洗浄装置。
【請求項５】
前記天井面は、前記噴霧部の噴霧方向に向かって下降傾斜することを特徴とする請求項３又は４に記載の衛生洗浄装置。
【請求項６】
前記脱臭フィルタは、前記噴霧ノズルの下方に設けられ、止水後の前記噴霧ノズルから滴下した水を受ける水受け部を有することを特徴とする請求項３〜５のいずれか１つに記載の衛生洗浄装置。
【請求項７】
前記噴霧部は、前記排気口と逆向きに水を噴霧することを特徴とする請求項３〜６のいずれか１つに記載の衛生洗浄装置。
【発明の詳細な説明】
【技術分野】
【０００１】
本発明の態様は、一般的に、衛生洗浄装置に関する。
【背景技術】
【０００２】
おしりなどの人体局部を洗浄する衛生洗浄装置において、トイレルーム内の空気を吸い込み、吸い込んだ空気に含まれる悪臭成分などを捕集又は分解して外部に吐き出すことにより、トイレルーム内の空気の脱臭を行う脱臭ユニットを設けることが行われている（例えば、特許文献１）。
【０００３】
脱臭ユニットは、脱臭フィルタと、脱臭フィルタに水を噴霧する噴霧部と、を有し、水分を保持した状態の脱臭フィルタに空気を通過させる。これにより、空気中に含まれる悪臭成分などが、脱臭フィルタに保持された水分に取り込まれ、空気中に含まれる悪臭成分などを低減させることができる。
【０００４】
噴霧部は、上方から脱臭フィルタに水を噴霧する。また、噴霧部は、脱臭フィルタの上面よりも広い噴霧範囲を有する。これにより、脱臭フィルタの全体に水を供給することができる。
【０００５】
しかしながら、噴霧部の噴霧範囲が脱臭フィルタの上面よりも広い場合、噴霧された水の一部は、脱臭フィルタに供給されることなく無駄な水となってしまう。他方、噴霧部の噴霧範囲が脱臭フィルタの上面よりも狭いと、脱臭フィルタに水が供給されない部分が生じ、脱臭性能の低下を招いてしまう。さらに、水を霧状に噴霧する場合、水は、噴霧部から略円錐状に広がる。このため、脱臭フィルタの上面と噴霧部の噴霧範囲とを同一の形状とし、脱臭フィルタの上面のみに水を供給することは、極めて困難である。
【０００６】
従って、脱臭ユニットを備えた衛生洗浄装置では、簡単な構成で脱臭フィルタの全体に効率良く水を供給できるようにし、無駄な水の発生を抑制することが望まれる。
【先行技術文献】
【特許文献】
【０００７】
【特許文献１】特開２０１６−０４４３９７号公報
【発明の概要】
【発明が解決しようとする課題】
【０００８】
本発明は、かかる課題の認識に基づいてなされたものであり、簡単な構成で脱臭フィルタの全体に効率良く水を供給できる衛生洗浄装置を提供することを目的とする。
【課題を解決するための手段】
【０００９】
第１の発明は、ケーシングと、前記ケーシング内に設けられ、トイレルーム内の空気を脱臭する脱臭ユニットであって、トイレルーム内の空気を吸引する送風部と、前記送風部が吸い込んだ空気を排気口に導くダクト部と、前記ダクト部内に設けられ、前記送風部により吸引された空気が通過する脱臭フィルタと、前記ダクト部内において前記脱臭フィルタの上方に設けられ、上方から前記脱臭フィルタに水を噴霧する噴霧ノズルを有する噴霧部と、を有する脱臭ユニットと、を備え、前記噴霧部の噴霧範囲は、前記脱臭フィルタの上面よりも広く、前記ダクト部は、前記脱臭フィルタの上方を覆う天井面と、前記天井面から下方に延び、前記噴霧部から噴霧された水が前記脱臭フィルタの外側に広がることを抑制する拡散抑制部と、を有することを特徴とする衛生洗浄装置である。
【００１０】
この衛生洗浄装置によれば、拡散抑制部によって水の広がりを抑制し、簡単な構成で脱臭フィルタの全体に効率良く水を供給することができる。脱臭ユニットを備えた衛生洗浄装置において、無駄な水の発生を抑制することができる。
【００１１】
第２の発明は、第１の発明において、前記拡散抑制部は、上下方向において前記脱臭フィルタと重なる位置に配置されていることを特徴とする衛生洗浄装置である。
【００１２】
この衛生洗浄装置によれば、拡散抑制部に当たった水を確実に脱臭フィルタに供給することができる。無駄な水の発生をより抑制することができる。
【００１３】
第３の発明は、第１又は第２の発明において、前記噴霧部は、前記脱臭フィルタの端部上方に前記噴霧ノズルを配置し、斜め下方に向けて水を噴霧することを特徴とする衛生洗浄装置である。
【００１４】
この衛生洗浄装置によれば、真下に向けて水を噴射する場合と比べて、噴霧に必要な脱臭フィルタと噴霧ノズルとの間の距離を確保しつつ、噴霧ノズルの位置を低くすることができる。脱臭ユニットを小型化することができる。
【００１５】
第４の発明は、第３の発明において、前記拡散抑制部は、前記噴霧ノズルと対向する対向面を有し、前記対向面は、前記噴霧部の噴霧方向に向かって下降傾斜することを特徴とする衛生洗浄装置である。
【００１６】
この衛生洗浄装置によれば、拡散抑制部に当たった水が、脱臭フィルタの外側に跳ね返ることを抑制し、より確実に脱臭フィルタに水を供給することができる。無駄な水の発生をより抑制することができる。
【００１７】
第５の発明は、第３又は第４の発明において、前記天井面は、前記噴霧部の噴霧方向に向かって下降傾斜することを特徴とする衛生洗浄装置である。
【００１８】
この衛生洗浄装置によれば、天井面に水を伝わせることにより、脱臭フィルタの噴霧ノズルから遠い部分に、より確実に水を供給することができる。
【００１９】
第６の発明は、第３〜第５のいずれか１つの発明において、前記脱臭フィルタは、前記噴霧ノズルの下方に設けられ、止水後の前記噴霧ノズルから滴下した水を受ける水受け部を有することを特徴とする衛生洗浄装置である。
【００２０】
この衛生洗浄装置によれば、止水後の噴霧ノズルから滴下した水を、より確実に排水することができる。
【００２１】
第７の発明は、第３〜第６のいずれか１つの発明において、前記噴霧部は、前記排気口と逆向きに水を噴霧することを特徴とする衛生洗浄装置である。
【００２２】
この衛生洗浄装置によれば、噴霧部から噴霧された水が、ケーシングの外部に排出されてしまうことを抑制することができる。
【発明の効果】
【００２３】
本発明の態様によれば、簡単な構成で脱臭フィルタの全体に効率良く水を供給できる衛生洗浄装置が提供される。
【図面の簡単な説明】
【００２４】
【図１】実施形態にかかるトイレ装置及び衛生洗浄装置を表す斜視図である。
【図２】実施形態に係る衛生洗浄装置の要部構成を表すブロック図である。
【図３】実施形態に係る衛生洗浄装置を表す平面図である。
【図４】図４（ａ）及び図４（ｂ）は、実施形態に係る衛生洗浄装置を表す背面図である。
【図５】第１脱臭ユニット及び蓋部を表す断面図である。
【図６】第１脱臭ユニット及び蓋部を表す断面図である。
【図７】第１脱臭ユニットを表す断面図である。
【図８】第１脱臭ユニットを表す断面図である。
【図９】図９（ａ）及び図９（ｂ）は、蓋部を表す断面図及び正面図である。
【図１０】図１０（ａ）及び図１０（ｂ）は、ベースプレートの一部を拡大して表す平面図及び断面図である。
【図１１】ベースプレート及びノズルユニットの一部を表す部分断面図である。
【図１２】ベースプレート及び第２脱臭ユニットの一部を表す部分断面図である。
【図１３】ベースプレートを表す断面図である。
【図１４】第１脱臭ユニットを表す断面図である。
【図１５】第１脱臭ユニットを表す断面図である。
【図１６】第１脱臭ユニットの変形例を表す断面図である。
【図１７】第１脱臭ユニットの変形例を表す断面図である。
【発明を実施するための形態】
【００２５】
以下、実施形態について図面を参照しつつ説明する。なお、各図面中、同様の構成要素には同一の符号を付して詳細な説明は適宜省略する。  
図１は、実施形態にかかるトイレ装置及び衛生洗浄装置を表す斜視図である。  
図１に表したように、トイレ装置２は、洋式腰掛便器（以下説明の便宜上、単に「便器」と称する）４と、衛生洗浄装置１０と、を備える。衛生洗浄装置１０は、便器４の上に取り付けられる。衛生洗浄装置１０は、便器４に対して一体的に取り付けてもよいし、便器４に対して着脱可能に取り付けてもよい。
【００２６】
衛生洗浄装置１０は、本体部１２と、便座１４と、便蓋１６と、を有する。便蓋１６は、衛生洗浄装置１０に必要に応じて設けられ、省略可能である。便座１４と便蓋１６とは、本体部１２に対して回転可能に軸支されている。
【００２７】
ここで、本願明細書においては、便座１４に座った使用者からみて上方を「上方」とし、便座１４に座った使用者からみて下方を「下方」とする。また、開いた状態の便蓋１６に背を向けて便座１４に座った使用者からみて前方を「前方」とし、後方を「後方」とし、右側を「右側方」とし、左側を「左側方」とする。
【００２８】
便器４は、ボウル部４ａを有する。ボウル部４ａは、下方に凹む凹状である。便器４は、ボウル部４ａにおいて使用者の尿や便などの排泄物を受ける。
【００２９】
衛生洗浄装置１０の本体部１２は、便器４のボウル部４ａよりも後方の部分の上に取り付けられる。本体部１２は、ケーシング２０を有する。ケーシング２０は、ケースカバー２２を有する。本体部１２は、ケースカバー２２において、便座１４及び便蓋１６を回転可能に軸支する。
【００３０】
図２は、実施形態に係る衛生洗浄装置の要部構成を表すブロック図である。  
図２に表したように、衛生洗浄装置１０は、洗浄水供給部３０と、着座検知センサ３１と、人体検知センサ３２と、ノズルユニット３３と、噴霧ノズル３８と、第１脱臭ユニット４１と、第２脱臭ユニット４２と、制御部４４と、を有する。ノズルユニット３３は、洗浄ノズル３４と、ノズル洗浄室３６と、を有する。
【００３１】
着座検知センサ３１は、使用者が便座１４に着座する直前において便座１４の上方に存在する人体や、便座１４に着座した使用者を検知することができる。着座検知センサ３１は、便座１４に着座した使用者だけではなく、便座１４の上方に存在する使用者を検知してもよい。このような着座検知センサ３１としては、例えば、赤外線投受光式の測距センサを用いることができる。着座検知センサ３１は、使用者が着座した際の荷重によってＯＮ／ＯＦＦが行われるスイッチであってもよい。着座検知センサ３１は、使用者の着座の検知に応答して、着座の検知を表す信号を制御部４４に出力する。
【００３２】
人体検知センサ３２は、例えば赤外線信号を利用した焦電センサであり、トイレ装置２が設置された室内（以下、トイレルームと称す）に入室した入室者を検知する。人体検知センサ３２は、制御部４４に接続されている。人体検知センサ３２は、検知結果を制御部４４に入力する。
【００３３】
人体検知センサ３２は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ３２として用いた場合には、人体検知センサ３２は、トイレルームのドア越しに使用者の存在を検知することが可能となる。つまり、人体検知センサ３２は、トイレルームに入室する前の使用者を検知することができる。
【００３４】
制御部４４は、洗浄水供給部３０、人体検知センサ３２、洗浄ノズル３４、ノズル洗浄室３６、噴霧ノズル３８、第１脱臭ユニット４１、及び第２脱臭ユニット４２のそれぞれの動作を制御する。制御部４４は、例えば、操作部４５から入力される操作指示に応じて、各部の動作を制御する。操作部４５は、本体部１２に設けてもよいし、本体部１２とは別に設けてもよい。操作部４５は、いわゆるリモコンでもよい。制御部４４と操作部４５との間の通信は、有線でもよいし、無線でもよい。
【００３５】
洗浄水供給部３０は、流路開閉弁５０と、熱交換器５１と、電解槽５２と、大気解放式のバキュームブレーカ（ＶＢ）５３と、電磁ポンプ５４と、流調・流路切替弁５５と、を有する。
【００３６】
流路開閉弁５０は、開閉可能な電磁バルブであり、制御部４４からの指令に基づいて洗浄水の供給を制御する。流路開閉弁５０は、給水源から供給される洗浄水の給水と止水とを切り替える。
【００３７】
熱交換器５１は、流路開閉弁５０の下流に設けられている。熱交換器５１は、ヒータにより、給水源から供給された洗浄水を加熱して例えば規定の温度まで昇温させる。熱交換器５１は、給水源から供給された洗浄水を、設定された温度の温水に変換する。以下、本願明細書において、「洗浄水」は、給水源から供給された水（冷水）と、熱交換器５１によって温められた温水と、を含むものとする。
【００３８】
熱交換器５１は、例えばセラミックヒータなどを用いた瞬間加熱式（瞬間式）の熱交換器でもよいし、貯湯タンクを用いた貯湯加熱式の熱交換器でもよい。使用者は、操作部４５を操作することにより温水温度を設定することができる。
【００３９】
電解槽５２は、熱交換器５１の下流に設けられている。電解槽５２は、一対の電極を有し、制御部４４から送信された通電の制御信号に基づいて、電極間に流れる洗浄水（水道水）を電気分解する。電解槽５２は、洗浄水に含まれる塩素イオンを電気分解することにより、次亜塩素酸（ＨＣｌＯ）を含む液（以下、「機能水」と称する）を生成する。
【００４０】
バキュームブレーカ５３は、電解槽５２の下流に設けられている。バキュームブレーカ５３は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ５３は、給水源から洗浄ノズル３４へと至る水路に水の流れが無い時に、水路内に空気を取り込む。弁機構には、例えば、フロート弁が用いられる。
【００４１】
バキュームブレーカ５３は、上記のように水路内に空気を取り込むことにより、例えば、水路のバキュームブレーカ５３よりも下流の部分の水抜きを促進させる。バキュームブレーカ５３は、例えば、洗浄ノズル３４の水抜きを促進する。このように、バキュームブレーカ５３は、洗浄ノズル３４内の水を抜いて洗浄ノズル３４内に空気を取り込むことにより、例えば、洗浄ノズル３４内の洗浄水やボウル部４ａ内に溜まった汚水などが、給水源（上水）側に逆流してしまうことを抑制する。
【００４２】
電磁ポンプ５４は、バキュームブレーカ５３の下流に設けられている。電磁ポンプ５４は、水路内の水の流れに脈動または加速を与え、洗浄ノズル３４から吐水される水に脈動を与える。すなわち、電磁ポンプ５４は、水路内を流れる水の流動状態を変動させる。電磁ポンプ５４は、制御部４４に接続されている。電磁ポンプ５４は、制御部４４による制御に基づいて、水の流動状態を変動させる。本願明細書において「脈動」とは、電磁ポンプ５４により生ずる水路内の圧力の変動のことである。電磁ポンプ５４は、水路内の水の圧力を変動させる。
【００４３】
洗浄ノズル３４は、吐水部３５を有する。吐水部３５は、例えば、おしり洗浄吐水孔３５ａと、おしりソフト吐水孔３５ｂと、ビデ洗浄吐水孔３５ｃと、を有する。
【００４４】
また、洗浄ノズル３４は、おしり洗浄流路ＦＣ１と、おしりソフト流路ＦＣ２と、ビデ洗浄流路ＦＣ３と、ワイドビデ洗浄流路ＦＣ４と、を有する。おしり洗浄流路ＦＣ１は、おしり洗浄吐水孔３５ａに接続され、おしり洗浄吐水孔３５ａに洗浄水又は機能水を供給する。おしりソフト流路ＦＣ２は、おしりソフト吐水孔３５ｂに接続され、おしりソフト吐水孔３５ｂに洗浄水又は機能水を供給する。ビデ洗浄流路ＦＣ３及びワイドビデ洗浄流路ＦＣ４は、ビデ洗浄吐水孔３５ｃに接続され、ビデ洗浄吐水孔３５ｃに洗浄水又は機能水を供給する。但し、洗浄ノズル３４が有する吐水孔及び流路は、これだけには限定されない。吐水孔の数は、上記のように流路の数と一致していなくてもよいし、流路の数と同じでもよい。また、同一の孔で複数の洗浄吐水孔を共有してもよい。
【００４５】
洗浄ノズル３４へ送られた洗浄水又は機能水は、吐水部３５から上方に向かって吐水される。吐水部３５から吐水された洗浄水は、便座１４に着座した使用者の局部洗浄などに用いられる。また、洗浄ノズル３４においては、ビデ洗浄流路ＦＣ３からビデ洗浄吐水孔３５ｃに洗浄水を供給することにより、ビデ洗浄が行われ、ワイドビデ洗浄流路ＦＣ４からビデ洗浄吐水孔３５ｃに洗浄水を供給することにより、ワイドビデ洗浄が行われる。機能水は、各吐水孔３５ａ〜３５ｃ、及び各吐水孔３５ａ〜３５ｃへと至る水路の洗浄などに用いられる。このように、洗浄ノズル３４は、４つの流路ＦＣ１〜ＦＣ４を有し、４つの流路ＦＣ１〜ＦＣ４のそれぞれから供給された洗浄水又は機能水を吐水可能に構成されている。
【００４６】
流調・流路切替弁５５は、電磁ポンプ５４と洗浄ノズル３４との間に設けられている。流調・流路切替弁５５は、電磁ポンプ５４を介して供給された洗浄水又は機能水の行き先を、おしり洗浄流路ＦＣ１、おしりソフト流路ＦＣ２、ビデ洗浄流路ＦＣ３、ワイドビデ洗浄流路ＦＣ４、ノズル洗浄室３６、噴霧ノズル３８、及び第１脱臭ユニット４１のいずれかに切り替える。また、流調・流路切替弁５５は、洗浄ノズル３４の各吐水孔３５ａ〜３５ｃから吐水する洗浄水の吐水流量を変更する。
【００４７】
ノズル洗浄室３６は、吐水部３６ａを有する。ノズル洗浄室３６は、吐水部３６ａから洗浄水又は機能水を吐水することにより、洗浄ノズル３４の外面の洗浄、即ち胴体洗浄を行う。
【００４８】
噴霧ノズル３８は、便器４のボウル部４ａの表面に洗浄水又は機能水を噴霧する。噴霧ノズル３８は、ケーシング２０の内部に設けてもよいし、ケーシング２０の外部に取り付けてもよい。
【００４９】
制御部４４は、例えば、人体検知センサ３２による使用者の入室の検知に応答して、噴霧ノズル３８から便器４のボウル部４ａの表面に水滴を噴霧する。すなわち、制御部４４は、使用者が便器４を使用する前に、便器４のボウル部４ａの表面を水滴で濡らす。これにより、ボウル部４ａの表面に付着する汚物を軽減させることができる。
【００５０】
また、制御部４４は、例えば、人体検知センサ３２がトイレルーム内の使用者を検知しなくなってから所定時間（例えば、９０秒後）が経過した際に、噴霧ノズル３８から便器４のボウル部４ａの表面に機能水を噴霧する。すなわち、制御部４４は、使用者が汚物を流し便器４の使用を終了した後に、ボウル部４ａの表面を機能水（次亜塩素酸水）で濡らす。これにより、悪臭のもとになる菌が、ボウル部４ａにおいて増えてしまうことを抑えることができる。便器４から悪臭が放出されることを抑えることができる。
【００５１】
第２脱臭ユニット４２は、ケーシング２０内に設けられる。第２脱臭ユニット４２は、便器４のボウル部４ａ内の空気を吸引し、吸引した空気に含まれる悪臭成分などを低減させた後、ケーシング２０の外に排出することにより、ボウル部４ａ内の空気を脱臭する。第２脱臭ユニット４２は、制御部４４に接続され、制御部４４の制御に基づいて、ボウル部４ａ内の空気の脱臭を行う。制御部４４は、例えば、使用者が便座１４から離れたことを着座検知センサ３１が検知した際に、第２脱臭ユニット４２を所定時間動作させる。
【００５２】
第１脱臭ユニット４１は、ケーシング２０内に設けられる。第１脱臭ユニット４１は、トイレルーム内の空気を吸い込む。トイレルーム内の空気とは、主として便器４の外部の空気（ボウル部４ａ内以外の空気）をいう。第１脱臭ユニット４１は、吸い込んだ空気に含まれる悪臭成分などを捕集又は分解する。「悪臭成分」は、例えば、アンモニアやトリメチルアミンなどの成分である。第１脱臭ユニット４１は、悪臭成分などを捕集又は分解した空気を、ケーシング２０の外部（トイレルーム）に吐き出す。これにより、第１脱臭ユニット４１は、トイレルーム内の空気を脱臭する。
【００５３】
第１脱臭ユニット４１は、集塵フィルタ６０と、ファン（送風部）６１と、脱臭フィルタ６２と、噴霧部６３と、ダクト部６４と、吸気口６５と、排気口６６と、を有する。
【００５４】
ファン６１は、吸気口６５からトイレルーム内の空気を吸い込む。ダクト部６４は、ファン６１が吸い込んだ空気を排気口６６に導く。ファン６１の駆動にともなって吸い込まれた空気は、ダクト部６４を介して排気口６６からトイレルームへ吐き出される。集塵フィルタ６０は、ファン６１よりも上流側に設けられ、吸い込んだ空気に含まれる塵や埃などが、ファン６１へ送られることを抑制する。
【００５５】
脱臭フィルタ６２は、ダクト部６４内に設けられる。脱臭フィルタ６２は、ダクト部６４内において、ファン６１と排気口６６との間に配置される。噴霧部６３は、脱臭フィルタ６２よりも上方に設けられている。噴霧部６３は、制御部４４の制御に基づいて、流調・流路切替弁５５から供給された洗浄水又は機能水を、脱臭フィルタ６２の上方から脱臭フィルタ６２に向けて噴霧する。これにより、噴霧部６３は、脱臭フィルタ６２に水を供給する。
【００５６】
脱臭フィルタ６２は、例えば、多孔質構造を有し、噴霧部６３から噴霧された洗浄水又は機能水を保持する。
【００５７】
ファン６１が作動すると、吸気口６５から吸い込まれたトイレルーム内の空気が、脱臭フィルタ６２内を通過する。脱臭フィルタ６２が水分を保持した状態において、空気が脱臭フィルタ６２内を通過すると、空気の中に含まれる悪臭成分などが、脱臭フィルタ６２に保持された水分に取り込まれる。例えば、空気中に含まれるアンモニア（ＮＨ３）が、脱臭フィルタ６２に保持された水分に溶解する。これにより、空気中に含まれる悪臭成分などを低減させることができる。
【００５８】
悪臭成分などが低減された空気は、排気口６６からトイレルームへ排出される。このように、第１脱臭ユニット４１は、トイレルーム内に常在する悪臭成分などを捕集又は分解することができる。よって、使用者は、トイレルームに入室する際に、トイレルーム内に常在する悪臭成分などによる臭気を吸う可能性が低くなり、快適にトイレルームを利用できる。
【００５９】
制御部４４は、例えば、使用者のトイレ装置２の使用頻度の低い時間帯においては、ファン６１の動作を停止させる。そして、制御部４４は、使用者のトイレ装置２の使用頻度の高い時間帯においては、ファン６１を動作させるとともに、定期的に噴霧部６３を動作させ、脱臭フィルタ６２に水分を保持させる。
【００６０】
これにより、使用者がトイレルームに入室する可能性が高い時間帯において、トイレルーム内に常在する臭気を取り除くことができる。したがって、使用者が、トイレルーム内に常在する臭気を吸うことで、不快感を感じることを抑制することができる。
【００６１】
また、制御部４４は、例えば、１日に１回などの頻度で、定期的に脱臭フィルタ６２の洗浄を行う。制御部４４は、脱臭フィルタ６２の洗浄の場合、例えば、脱臭時よりも多い量の機能水を噴霧部６３から脱臭フィルタ６２に噴霧し、脱臭フィルタ６２を機能水で洗い流す。これにより、例えば、脱臭フィルタ６２において菌が増えることを抑制することができる。
【００６２】
脱臭フィルタ６２は、ダクト部６４に着脱可能に取り付けられる。換言すれば、ダクト部６４は、脱臭フィルタ６２を着脱可能に保持する。脱臭フィルタ６２は、ケーシング２０の外側から着脱可能である。これにより、例えば、吸い込んだ空気に含まれる紙粉などの汚れや、水を噴霧することで発生するスケールなどが、脱臭フィルタ６２に付着した場合に、脱臭フィルタ６２を取り外して洗浄することができる。このように、衛生洗浄装置１０では、脱臭フィルタ６２のメンテナンスを容易に行うことができ、第１脱臭ユニット４１の性能の低下を抑制することができる。
【００６３】
図３は、実施形態に係る衛生洗浄装置を表す平面図である。  
図３は、ケースカバー２２を省略した状態の衛生洗浄装置１０の平面図を表している。  図３に表したように、ケーシング２０は、ベースプレート２４をさらに有する。ベースプレート２４は、ケースカバー２２の下端を塞ぐ。換言すれば、ケースカバー２２は、ベースプレート２４の上に取り付けられる。衛生洗浄装置１０において、ノズルユニット３３、第１脱臭ユニット４１、第２脱臭ユニット４２、制御部４４、流路開閉弁５０、熱交換器５１、電解槽５２、バキュームブレーカ５３、電磁ポンプ５４、及び流調・流路切替弁５５などの各部は、ベースプレート２４の上に取り付けられる。
【００６４】
この例において、衛生洗浄装置１０は、温風乾燥ユニット４３をさらに有する。温風乾燥ユニット４３は、便座１４に座った使用者の人体局部（「おしり」など）に向けて温風を吹き出すことにより、洗浄で濡れた使用者の人体局部を乾燥させる。温風乾燥ユニット４３は、制御部４４に接続され、制御部４４からの指令に基づいて温風の吹き出しと停止を切り替え、温風の温度を変化させる。温風乾燥ユニット４３は、必要に応じて設けられ、省略可能である。
【００６５】
ノズルユニット３３は、ベースプレート２４の左右方向の略中央に設けられる。温風乾燥ユニット４３は、例えば、ノズルユニット３３に隣接して設けられる。第２脱臭ユニット４２は、例えば、温風乾燥ユニット４３に隣接して設けられる。第１脱臭ユニット４１は、例えば、第２脱臭ユニット４２に隣接して設けられる。
【００６６】
このように、第２脱臭ユニット４２は、ケーシング２０内において、第１脱臭ユニット４１と並べて設けられる。第２脱臭ユニット４２の排気口４２ａは、第１脱臭ユニット４１の排気口６６と並べて設けられる。
【００６７】
この例では、各排気口４２ａ、６６が、後方を向いて設けられ、左右方向に並べて配置されている。各排気口４２ａ、６６は、ケースカバー２２の内面に近接して配置される。各排気口４２ａ、６６は、例えば、側方に向けて設け、前後方向に並べて配置してもよい。各排気口４２ａ、６６は、例えば、上下方向に重ねて配置してもよい。
【００６８】
また、各排気口４２ａ、６６は、必ずしも並んでいなくてもよい。例えば、第２脱臭ユニット４２の排気口４２ａは、後方に向けて設け、第１脱臭ユニット４１の排気口６６は、側方に向けて設けてもよい。また、各排気口４２ａ、６６を並べて設ける場合、第１脱臭ユニット４１及び第２脱臭ユニット４２は、必ずしも隣接していなくてもよい。例えば、第１脱臭ユニット４１及び第２脱臭ユニット４２は、離間して配置し、ダクトなどを介して各排気口４２ａ、６６のみを並べて配置してもよい。第１脱臭ユニット４１、第２脱臭ユニット４２、及び温風乾燥ユニット４３の配置は、上記に限ることなく、任意の配置でよい。
【００６９】
第２脱臭ユニット４２は、脱臭触媒や脱臭フィルタなどの脱臭部材４２ｂを有する。第２脱臭ユニット４２は、吸い込んだ空気を脱臭部材４２ｂに通すことにより、吸い込んだ空気に含まれる悪臭成分などを低減させる。脱臭部材４２ｂは、第２脱臭ユニット４２に着脱可能に取り付けられる。これにより、脱臭部材４２ｂの清掃や交換などのメンテナンスを容易に行うことができる。脱臭部材４２ｂは、例えば、排気口４２ａと対向した状態で取り付けられ、排気口４２ａを介して着脱される。
【００７０】
また、図３に表したように、衛生洗浄装置１０は、排水樋８０をさらに有する。排水樋８０は、管状である。排水樋８０は、例えば、断面略矩形の管状である。排水樋８０は、第１脱臭ユニット４１から排水された水をケーシング２０の外部に導く。排水樋８０は、第１脱臭ユニット４１から排水された水をベースプレート２４を介して便器４のボウル部４ａに排水する。排水樋８０は、例えば、脱臭フィルタ６２に保持されなかった余剰な水や、脱臭フィルタ６２の洗浄時に供給された多量の機能水などをボウル部４ａに排水する。
【００７１】
排水樋８０は、ベースプレート２４の上に設けられた硬質な管路である。排水樋８０は、通常の使用状態において、弾性変形などを起こすことなく、内部の管路形状を実質的に変化させない。これにより、可撓性を有するチューブなどで排水を行う場合と比べて、第１脱臭ユニット４１から排水された水を、より適切にケーシング２０の外部に排水することができる。また、排水樋８０を断面略矩形の管状とすることにより、例えば、断面略円形の場合などに比べて、管路内の表面張力を小さくし、より排水し易くすることができる。
【００７２】
ベースプレート２４は、排水溝２４ａを有する。排水溝２４ａは、流路開閉弁５０から漏れ出た洗浄水をケーシング２０の外部に導く。排水溝２４ａは、流路開閉弁５０から漏れ出た洗浄水を便器４のボウル部４ａに排水する。図３に表したように、衛生洗浄装置１０は、第１脱臭ユニット４１から排水された水や、流路開閉弁５０から漏れ出た水などを、ベースプレート２４の左右方向の中央付近から便器４のボウル部４ａに排水する。
【００７３】
図４（ａ）及び図４（ｂ）は、実施形態に係る衛生洗浄装置を表す背面図である。  
図４（ａ）及び図４（ｂ）に表したように、ケーシング２０は、開口部２０ａと、蓋部２６と、を有する。開口部２０ａは、第１脱臭ユニット４１の排気口６６と対向するとともに、第２脱臭ユニット４２の排気口４２ａと対向して設けられる。この例において、開口部２０ａは、ケーシング２０の背面に設けられる。例えば、各排気口４２ａ、６６が側方を向いて設けられる場合には、開口部２０ａは、ケーシング２０の側面に設けられる。
【００７４】
蓋部２６は、開口部２０ａに着脱可能に取り付けられる。蓋部２６は、開口部２０ａに取り付けられた状態において、開口部２０ａを塞ぐ。図４（ａ）は、蓋部２６が取り付けられた状態を表し、図４（ｂ）は、蓋部２６が取り外された状態を表している。
【００７５】
蓋部２６は、第１脱臭ユニット４１から吐き出された空気を通過させる通気孔２６ａと、第２脱臭ユニット４２から吐き出された空気を通過させる通気孔２６ｂと、を有する。各脱臭ユニット４１、４２から吐き出された空気は、各通気孔２６ａ、２６ｂを介してケーシング２０の外部に排出される。
【００７６】
蓋部２６は、例えば、複数の通気孔２６ａと、複数の通気孔２６ｂと、を有する。各通気孔２６ａは、水平方向に延びるルーバ２６ｃによって仕切られる。同様に、各通気孔２６ｂは、水平方向に延びるルーバ２６ｄによって仕切られる。各ルーバ２６ｃ、２６ｄは、例えば、後方（ケーシング２０の外側）に向かって下降傾斜する平板状であり、各脱臭ユニット４１、４２から吐き出された空気を下方に向けて整流する。各ルーバ２６ｃ、２６ｄは、換言すれば、ガラリである。
【００７７】
図５及び図６は、第１脱臭ユニット及び蓋部を表す断面図である。  
図５は、第１脱臭ユニット４１及び蓋部２６を上方から見た状態を表す。  
図６は、第１脱臭ユニット４１及び蓋部２６を側方から見た状態を表す。  
図６は、図５のＡ１−Ａ２線断面を表し、図５は、図６のＢ１−Ｂ２線断面を表す。  
図５及び図６に表したように、脱臭フィルタ６２は、排気口６６と対向してダクト部６４内に保持される。すなわち、脱臭フィルタ６２は、ケーシング２０の開口部２０ａと対向してダクト部６４内に保持される。これにより、脱臭フィルタ６２は、蓋部２６を取り外すことで、開口部２０ａ及び排気口６６を介してケーシング２０の外側から着脱することができる。
【００７８】
この例では、脱臭フィルタ６２の全体が、開口部２０ａ及び排気口６６と対向する。これにより、脱臭フィルタ６２を着脱し易くすることができる。但し、脱臭フィルタ６２は、必ずしもその全体が、開口部２０ａ及び排気口６６と対向いていなくてもよい。すなわち、脱臭フィルタ６２の少なくとも一部が、開口部２０ａ及び排気口６６と対向していればよい。
【００７９】
このように、脱臭フィルタ６２は、蓋部２６を取り外すことで、開口部２０ａ及び排気口６６から着脱可能となる。衛生洗浄装置１０では、ケーシング２０の排気用の開口部２０ａが、脱臭フィルタ６２を着脱するための開口を兼ねる。これにより、脱臭フィルタ６２を着脱するための機構を別途設ける必要をなくすことができる。例えば、脱臭フィルタ６２を着脱するための開口を別途設ける場合と比べて、衛生洗浄装置１０の美観を向上させることができる。
【００８０】
また、第２脱臭ユニット４２では、前述のように、脱臭部材４２ｂの着脱が行われる。衛生洗浄装置１０では、開口部２０ａが、第１脱臭ユニット４１の排気口６６と対向するとともに、第２脱臭ユニット４２の排気口４２ａと対向する。すなわち、開口部２０ａは、第２脱臭ユニット４２から吐き出された空気の排気、及び脱臭部材４２ｂの着脱も兼ねる。これにより、衛生洗浄装置１０では、例えば、第２脱臭ユニット４２の排気口４２ａを塞ぐ蓋部を別途設ける場合と比べて、部品点数を削減することができる。例えば、衛生洗浄装置１０の製造コストを抑えることができる。例えば、蓋部を複数設ける場合と比べて、衛生洗浄装置１０の美観をより向上させることができる。
【００８１】
脱臭フィルタ６２は、フィルタ本体７０と、ケース部７２と、を有する。フィルタ本体７０は、例えば、格子状に形成され、複数の貫通孔７０ａを有する。フィルタ本体７０には、例えば、セラミックスなどが用いられる。ケース部７２は、フィルタ本体７０を囲む枠状であり、フィルタ本体７０を保持する。ケース部７２には、例えば、樹脂材料などが用いられる。
【００８２】
脱臭フィルタ６２は、各貫通孔７０ａが上下方向に向いた状態で、ダクト部６４内に保持される。従って、脱臭フィルタ６２は、上下方向に空気を通過させる。
【００８３】
第１脱臭ユニット４１は、吸気口６５を下方に向けて配置する。ファン６１は、ケースカバー２２の側面下部に設けられた吸気開口２２ａ（図１参照）及び吸気口６５を介して下方から空気を吸引し、吸引した空気を後方に向けて排出する。ファン６１には、例えば、シロッコファンが用いられる。
【００８４】
ダクト部６４は、ファン６１から排出された空気を後方に導き、下方から上方に向かって脱臭フィルタ６２に空気を通過させる。そして、ダクト部６４は、脱臭フィルタ６２を通過した空気をさらに後方に導き、排気口６６、及び蓋部２６の通気孔２６ａを介して空気をケーシング２０の外部に排出する。
【００８５】
このように、第１脱臭ユニット４１は、ケーシング２０の側方から吸い込んだ空気を後方に排出する。第１脱臭ユニット４１の吸気及び排気の位置は、上記に限ることなく、ケーシング２０の任意の位置でよい。例えば、ケーシング２０の側方から吸い込んだ空気を、脱臭した後、再びケーシング２０の側方に排出してもよい。
【００８６】
ファン６１は、脱臭フィルタ６２よりも下方に配置されている。これにより、脱臭フィルタ６２に対して下方から上方に空気を通過させる際に、ダクト部６４及び脱臭フィルタ６２に対して効率良く空気を送ることができる。これにより、効率的に脱臭を行うことができる。例えば、ダクト部６４の形状を簡単にし、装置を小型化でき、製造コストを抑えることもできる。
【００８７】
また、ファン６１は、脱臭フィルタ６２に対して側方にずらして配置されている。換言すれば、ファン６１は、上下方向において、脱臭フィルタ６２と重ならない。これにより、ファン６１を脱臭フィルタ６２よりも下方に配置した場合にも、噴霧部６３から噴霧された洗浄水又は機能水がファン６１にかかってしまうことを抑制することができる。例えば、ファン６１に水がかかり、ファン６１の劣化や故障の要因となることを抑制することができる。
【００８８】
ダクト部６４は、滞留空間６４ａと、上方空間６４ｂと、を有する。滞留空間６４ａは、脱臭フィルタ６２の下方に設けられ、ファン６１によって吸い込まれた空気を脱臭フィルタ６２の下方において一時的に滞留させる。脱臭フィルタ６２では、ダクト部６４に比べて空気が流れ難い。従って、脱臭フィルタ６２の上流に位置する滞留空間６４ａでは、他の部分に比べて空気が滞留し易い。
【００８９】
また、ダクト部６４は、脱臭フィルタ６２から滴下した水滴を受け、滞留空間６４ａを形成する内壁面６４ｎに水滴ＷＤを付着させる。すなわち、噴霧部６３から脱臭フィルタ６２に水を供給した場合、脱臭フィルタ６２が水分を保持するとともに、滞留空間６４ａの内壁面６４ｎも濡れ、内壁面６４ｎも水分を保持する。
【００９０】
上方空間６４ｂは、脱臭フィルタ６２の上方に設けられている。滞留空間６４ａは、上方空間６４ｂよりも広い。換言すれば、滞留空間６４ａの体積は、上方空間６４ｂの体積よりも大きい。
【００９１】
脱臭フィルタ６２においては、重力により、上方の部分よりも下方の部分の方が水分が多くなる。このため、脱臭フィルタ６２に対して下方から上方に空気を通過させるとともに、脱臭フィルタ６２の下方の滞留空間６４ａにおいて一時的に空気を滞留させる。これにより、脱臭フィルタ６２を通過する時間に加え、滞留空間６４ａで滞留する時間においても、空気を水と接触させることができる。また、この際、脱臭フィルタ６２の底面は、脱臭フィルタ６２の上面と比べて水分が多い。従って、例えば、脱臭フィルタ６２に対して上方から下方に空気を通過させる場合と比べて、吸い込まれた空気が水と接触する接触時間を長くすることができる。これにより、第１脱臭ユニット４１の脱臭性能を向上させることができる。
【００９２】
また、脱臭フィルタ６２に上方から水を供給することにより、滞留空間６４ａを形成する内壁面６４ｎに水滴ＷＤが付着する。これにより、滞留空間６４ａに滞留する空気を内壁面６４ｎに付着した水滴ＷＤと接触させることで、空気と水との接触確率を高めることができる。第１脱臭ユニット４１の脱臭性能をより向上させることができる。
【００９３】
また、脱臭フィルタ６２に対して下方から上方に空気を通過させる場合に、滞留空間６４ａを、上方空間６４ｂよりも広くする。これにより、滞留空間６４ａにおいて空気をより滞留させ易くし、空気と水との接触時間をより長くすることができる。そして、上方空間６４ｂでの空気の滞留を抑制し、ケーシング２０の外部にすぐに排出することができる。これにより、第１脱臭ユニット４１の脱臭性能をより向上させることができる。
【００９４】
また、脱臭フィルタ６２を通過した空気は、脱臭フィルタ６２の各貫通孔７０ａによって整流される。これにより、上方空間６４ｂでの空気の滞留を、より抑制することができる。
【００９５】
図７は、第１脱臭ユニットを表す断面図である。  
図７は、図６のＣ１−Ｃ２線断面を表す。  
図７に表したように、ダクト部６４は、導入部６４ｃを有する。導入部６４ｃは、ファン６１が吸い込んだ空気を滞留空間６４ａに導く。導入部６４ｃと滞留空間６４ａとの接続部において、導入部６４ｃの幅方向の中心ＣＴ１は、滞留空間６４ａの幅方向の中心ＣＴ２に対して側方にずれている。導入部６４ｃは、例えば、滞留空間６４ａに対して接線方向に延びる。
【００９６】
このように、導入部６４ｃの中心ＣＴ１を、滞留空間６４ａの中心ＣＴ２とずらす。これにより、滞留空間６４ａにおいて空気をより滞留させ易くすることができる。例えば、図７において矢線で表したように、ダクト部６４の内側面６４ｓ（内壁面６４ｎの一部）に沿って空気を旋廻させることができる。これにより、空気と水との接触時間をより長くし、第１脱臭ユニット４１の脱臭性能をより向上させることができる。
【００９７】
ダクト部６４の内側面６４ｓの一部は、円弧状に湾曲する。これにより、空気をより旋廻させ易くすることができる。また、ファン６１にシロッコファンを用いた場合、図７に矢線の大きさで表したように、回転するロータの外周側の方が、内周側よりも風が強くなる。この場合には、ファン６１のロータの外周側から吹き出された風が、ダクト部６４の内側面６４ｓに沿うように、ファン６１を配置する。これにより、空気をさらに旋廻させ易くすることができる。空気と水との接触時間をより長くし、第１脱臭ユニット４１の脱臭性能をより向上させることができる。
【００９８】
また、図７に表したように、ダクト部６４は、第１排水口７４ａと、第２排水口７４ｂと、を有する。第１排水口７４ａは、噴霧部６３から噴霧され、脱臭フィルタ６２を滴下した水を排水樋８０に流す。すなわち、ダクト部６４は、第１排水口７４ａを介して排水樋８０と接続される。第２排水口７４ｂは、脱臭フィルタ６２とファン６１との間の底部に設けられ、ファン６１側に向かう水を外部に排水する。第２排水口７４ｂは、例えば、ファン６１側に向かう水をベースプレート２４に滴下させ、ベースプレート２４を介して便器４のボウル部４ａに排水する。
【００９９】
第１排水口７４ａは、左右方向においてベースプレート２４の中央側に設けられる。第２排水口７４ｂは、左右方向において第１排水口７４ａと反対側に設けられる。すなわち、導入部６４ｃは、左右方向において第１排水口７４ａと反対側に設けられる。これにより、例えば、第１排水口７４ａと排水樋８０とを接続し易くすることができる。ボウル部４ａへの排水を行うベースプレート２４の中央側に向けて第１排水口７４ａを設けることで、第１脱臭ユニット４１から排水された水を、よりボウル部４ａに排水し易くすることができる。
【０１００】
図８は、第１脱臭ユニットを表す断面図である。  
図８は、図７のＤ１−Ｄ２線断面を表す。  
図６及び図８に表したように、脱臭フィルタ６２から滴下した水を受けるダクト部６４の内底面６４ｄ（内壁面６４ｎの一部）は、第１排水口７４ａに向かって下降傾斜する。内底面６４ｄは、脱臭フィルタ６２から滴下した水を第１排水口７４ａに排水する排水勾配を有する傾斜面である。第１排水口７４ａの開口端は、第２排水口７４ｂの開口端よりも下方に位置する。これにより、脱臭フィルタ６２から滴下した水は、通常は、第１排水口７４ａに向かい、排水樋８０を介して便器４のボウル部４ａに排水される。
【０１０１】
第２排水口７４ｂは、脱臭フィルタ６２から滴下した水が、意図せずファン６１側に向かった場合に、水をベースプレート２４に滴下させ、ファン６１に水がかかることを抑制する。第２排水口７４ｂは、必要に応じて設けられ、省略可能である。
【０１０２】
図５及び図６に表したように、蓋部２６は、突起部２７を有する。突起部２７は、蓋部２６が開口部２０ａに取り付けられた状態において、ケーシング２０内に向かって延びる。突起部２７は、脱臭フィルタ６２が適切な固定位置（図５及び図６に表した位置）よりも排気口６６側に位置した状態で、蓋部２６の取り付けが行われた場合に、先端を脱臭フィルタ６２に当接させることにより、脱臭フィルタ６２を適切な固定位置に誘導する。すなわち、突起部２７は、脱臭フィルタ６２が手前側に取り付けられた場合に、蓋部２６の取り付けに応じて脱臭フィルタ６２を押し込むことにより、脱臭フィルタ６２を適切な固定位置に移動させる。
【０１０３】
ケーシング２０は、封止部材２８をさらに有する。封止部材２８は、第１脱臭ユニット４１の排気口６６と蓋部２６との間に設けられる。封止部材２８は、例えば、第１脱臭ユニット４１の排気口６６に沿う環状である。封止部材２８は、スポンジ状（多孔質状）である。封止部材２８は、排気口６６と蓋部２６との間に挟まれて弾性変形することにより、排気口６６と蓋部２６との間に空く隙間を埋める。
【０１０４】
突起部２７は、蓋部２６が開口部２０ａに取り付けられた状態において、封止部材２８の下端部２８ｂと噴霧部６３との間に位置する。これにより、噴霧部６３から噴霧された水が、封止部材２８の下端部２８ｂにかかってしまうことを抑制することができる。
【０１０５】
図９（ａ）及び図９（ｂ）は、蓋部を表す断面図及び正面図である。  
図９（ｂ）は、蓋部２６の一部を拡大して表す正面図である。  
図９（ａ）は、図９（ｂ）のＥ１−Ｅ２線断面を表す断面図である。  
図９（ａ）及び図９（ｂ）に表したように、蓋部２６の突起部２７の上面２７ｕは、ケーシング２０内に向かう方向（この例では前方）において下降傾斜している。
【０１０６】
これにより、噴霧部６３から噴霧された水が突起部２７にかかった場合にも、突起部２７にかかった水を適切に排水することができる。例えば、突起部２７にかかった水をベースプレート２４に滴下させ、ケーシング２０内の電気部品などに不意に水がかかってしまうことを抑制することができる。
【０１０７】
また、突起部２７の上面２７ｕは、幅方向の中央に向かって下降傾斜している。これにより、突起部２７にかかった水を突起部２７の幅方向の中央部に集め、より適切に排水することができる。なお、「幅方向」とは、より詳しくは、突起部２７のケーシング２０内に向かう方向及び上下方向と直交する方向である。この例において、幅方向は、左右方向である。
【０１０８】
また、突起部２７の先端には、切り欠き２７ａが設けられている。これにより、脱臭フィルタ６２を固定位置に適切に誘導しつつ、突起部２７にかかった水を切り欠き２７ａから、より適切に排水することができる。
【０１０９】
図１０（ａ）及び図１０（ｂ）は、ベースプレートの一部を拡大して表す平面図及び断面図である。  
図１０（ｂ）は、図１０（ａ）のＦ１−Ｆ２線断面を表す。  
図１０（ａ）及び図１０（ｂ）に表したように、排水樋８０は、樋本体８２と、蓋部８４と、を有する。
【０１１０】
樋本体８２は、上方が開口した凹状である。この例において、樋本体８２は、ベースプレート２４に一体に形成されている。換言すれば、樋本体８２は、ベースプレート２４に溝状に形成されている。樋本体８２は、例えば、ベースプレート２４とは別部材で形成し、ベースプレート２４の上に取り付けてもよい。蓋部８４は、樋本体８２の上方を塞ぐ。蓋部８４は、例えば、樋本体８２の上方の開口端に嵌ることにより、樋本体８２の上方を塞ぐ。これにより、樋本体８２と蓋部８４とによって、管状の排水樋８０が形成される。
【０１１１】
排水樋８０は、上記のように２つの部材で形成してもよいし、管状の１つの部材で形成してもよい。但し、上記のように、樋本体８２と蓋部８４とで排水樋８０を形成することにより、排水樋８０を形成し易くすることができる。さらに、樋本体８２をベースプレート２４と一体に形成することにより、部品点数を削減し、排水樋８０をより形成し易くすることができる。樋本体８２（ベースプレート２４）及び蓋部８４には、例えば、硬質な樹脂材料が用いられる。これにより、通常の使用状態における排水樋８０の弾性変形が抑制される。
【０１１２】
図１１は、ベースプレート及びノズルユニットの一部を表す部分断面図である。  
図１１に表したように、ノズルユニット３３は、洗浄ノズル３４を支持する支持体９０を有する。支持体９０は、第１脱臭ユニット４１側に向かって側方に突出した突起部９０ａを有する。突起部９０ａは、排水樋８０の蓋部８４の上方に設けられ、蓋部８４の一端８４ａ側を押さえる。このように、蓋部８４の一端８４ａ側は、ノズルユニット３３によって押さえられる。
【０１１３】
図１２は、ベースプレート及び第２脱臭ユニットの一部を表す部分断面図である。  
図１２に表したように、第２脱臭ユニット４２は、排水樋８０の蓋部８４の上方に設けられ、蓋部８４の他端８４ｂ側を押さえる。第２脱臭ユニット４２は、板バネ部４２ｃを有する。第２脱臭ユニット４２は、板バネ部４２ｃの弾性力によって、蓋部８４の他端８４ｂ側を押さえる。
【０１１４】
第２脱臭ユニット４２は、板バネ部４２ｃの部分でのみ、排水樋８０に接触する。これにより、例えば、第２脱臭ユニット４２と排水樋８０との微接触を抑制することができる。例えば、第２脱臭ユニット４２のファンの駆動にともなう振動が排水樋８０に伝わり、排水樋８０において振動音が発生してしまうことを抑制することができる。
【０１１５】
図１３は、ベースプレートを表す断面図である。  
図１３は、図３のＧ１−Ｇ２線断面を表す。  
図１３に表したように、排水樋８０の排水勾配θ１は、排水溝２４ａの排水勾配θ２よりも大きい。排水樋８０の排水勾配θ１は、例えば、５°程度（３°以上１０°以下）である。排水溝２４ａの排水勾配θ２は、例えば、１°程度（０．５°以上２°以下）である。
【０１１６】
第１脱臭ユニット４１からの排水は、衛生洗浄装置１０の通常の動作において定期的に行われる。従って、排水樋８０の排水勾配θ１は、比較的大きくする。これにより、第１脱臭ユニット４１から排水された水を、より確実に素早くボウル部４ａなどに排水することができる。さらに、排水樋８０内に水が残ってしまうことを抑制することができる。
【０１１７】
一方、通常の使用状態において、流路開閉弁５０から洗浄水が漏れ出る可能性は、低い。従って、排水溝２４ａの排水勾配θ２は、比較的小さくする。これにより、例えば、排水溝２４ａの排水勾配θ２によってケーシング２０内の収納スペースが圧迫されてしまうことを抑制することができる。ケーシング２０内の収納スペースを適切に確保しつつ、流路開閉弁５０から漏れ出た洗浄水を適切にボウル部４ａなどに排水することができる。
【０１１８】
図１４は、第１脱臭ユニットを表す断面図である。  
図１４は、図５のＨ１−Ｈ２線断面を表す。  
図１４に表したように、噴霧部６３は、噴霧ノズル１００を有する。噴霧ノズル１００は、ダクト部６４内において脱臭フィルタ６２の上方に設けられ、上方から脱臭フィルタ６２に水を噴霧する。噴霧ノズル１００の噴霧範囲は、脱臭フィルタ６２のフィルタ本体７０の上面７０ｕよりも広い。これにより、フィルタ本体７０の全体に水を供給することができる。噴霧ノズル１００の噴霧角度αは、例えば、１１０°（９０°以上１３０°以下）である。これにより、水の無駄な広がりを抑制しつつ、フィルタ本体７０の全体に適切に水を供給することができる。
【０１１９】
噴霧部６３は、脱臭フィルタ６２の端部上方に噴霧ノズル１００を配置し、斜め下方に向けて水を噴霧する。噴霧部６３は、脱臭フィルタ６２の排気口６６側の端部の上方に噴霧ノズル１００を配置する。これにより、噴霧部６３は、排気口６６と逆向きに水を噴霧する。
【０１２０】
フィルタ本体７０の上面７０ｕは、例えば、略長方形状である（図５参照）。フィルタ本体７０の上面７０ｕは、一方に長い形状を有する。脱臭フィルタ６２は、長手方向の一端を排気口６６側に向けてダクト部６４内に取り付けられ、噴霧部６３は、フィルタ本体７０の上面７０ｕの長手方向に沿って水を噴霧する。これにより、斜め下方に向けて水を噴霧する場合に、フィルタ本体７０の全体に水を供給し易くすることができる。なお、噴霧ノズル１００の位置は、上記に限ることなく、フィルタ本体７０の全体に適切に水を供給可能な任意の位置でよい。噴霧部６３は、例えば、真下に向けて水を噴霧してもよい。
【０１２１】
脱臭フィルタ６２のケース部７２は、水受け部７２ａを有する。水受け部７２ａは、噴霧ノズル１００の下方に設けられる。水受け部７２ａは、上方に向かって開口した凹状であり、止水後の噴霧ノズル１００から滴下した水を受ける。水受け部７２ａは、底部に開口を有し、受けた水を開口を介してダクト部６４の内底面６４ｄに滴下させる。水受け部７２ａは、止水後の噴霧ノズル１００から滴下した水を、底部の開口、ダクト部６４の内底面６４ｄ、第１排水口７４ａ、及び排水樋８０を介してケーシング２０の外部に排水する。これにより、水受け部７２ａは、止水後の噴霧ノズル１００から滴下した水が、排気口６６側に向かうことを抑制する。水受け部７２ａは、止水後の噴霧ノズル１００から滴下した水が、蓋部２６の通気孔２６ａからケーシング２０の外部に漏れ出てしまうことを抑制する。
【０１２２】
また、水受け部７２ａは、噴霧ノズル１００の噴霧口１００ａから１８０°方向に飛散した水を受ける。これにより、例えば、スケールなどの異物が噴霧口１００ａに詰まり、１８０°方向に水が飛散した場合にも、蓋部２６の通気孔２６ａからケーシング２０の外部に水が漏れ出てしまうことを抑制することができる。
【０１２３】
ダクト部６４は、上方に開口１１０ａを有するダクト本体１１０と、ダクト本体１１０の開口１１０ａを塞ぐ蓋部１１２と、を有する。なお、ダクト部６４は、２つの部材で形成する必要はなく、略筒状の１つの部材で形成してもよいし、３つ以上の部材を組み合わせて形成してもよい。
【０１２４】
ダクト本体１１０は、脱臭フィルタ６２の排気口６６側の上方を覆う天井面１１０ｃを有する。蓋部１１２は、脱臭フィルタ６２の上方を覆う天井面１１２ｃを有する。蓋部１１２の天井面１１２ｃは、噴霧部６３の噴霧方向に向かって下降傾斜する。なお、以下では、噴霧部６３の噴霧方向（噴霧口１００ａの向く方向）を「前方」と表現する。蓋部１１２の天井面１１２ｃは、前方に向かって下降傾斜する。
【０１２５】
ダクト本体１１０は、第１拡散抑制部１２１を有する。第１拡散抑制部１２１は、ダクト本体１１０の天井面１１０ｃから下方に延び、噴霧部６３から噴霧された水が脱臭フィルタ６２の外側に広がることを抑制する。
【０１２６】
第１拡散抑制部１２１は、上下方向において脱臭フィルタ６２と重なる位置に配置されている。第１拡散抑制部１２１は、噴霧部６３に近接して配置されている。第１拡散抑制部１２１は、噴霧部６３の噴霧方向及び上下方向と直交する方向に延び、噴霧ノズル１００と対向する対向面１２１ａを有する。第１拡散抑制部１２１は、噴霧部６３から噴霧された水の一部を対向面１２１ａに当て、下方に滴下させる。これにより、例えば、脱臭フィルタ６２の上方を通過しようとする水を脱臭フィルタ６２に供給することができる。第１拡散抑制部１２１は、噴霧部６３から噴霧された水が脱臭フィルタ６２よりも前方に広がることを抑制する。
【０１２７】
第１拡散抑制部１２１の対向面１２１ａは、噴霧部６３の噴霧方向に向かって下降傾斜する。すなわち、対向面１２１ａは、前方に向かって下降傾斜する。これにより、第１拡散抑制部１２１の対向面１２１ａに当たった水が、脱臭フィルタ６２の外側に跳ね返ることを抑制することができる。対向面１２１ａに当たった水が、脱臭フィルタ６２よりも後方に跳ね返ってしまうことを抑制することができる。従って、より確実に脱臭フィルタ６２に水を供給することができる。
【０１２８】
また、対向面１２１ａを下降傾斜させることにより、例えば、第１拡散抑制部１２１を設けた場合にも、第１拡散抑制部１２１が、ダクト部６４内を通過する空気の妨げとなることを抑制することができる。
【０１２９】
蓋部１１２は、第２拡散抑制部１２２を有する。第２拡散抑制部１２２は、蓋部１１２の天井面１１２ｃから下方に延び、噴霧部６３から噴霧された水が脱臭フィルタ６２の外側に広がることを抑制する。
【０１３０】
第２拡散抑制部１２２は、噴霧部６３の噴霧方向及び上下方向と直交する方向に延びる。換言すれば、第２拡散抑制部１２２は、噴霧部６３の噴霧方向に対して側方に延びる。第２拡散抑制部１２２は、例えば、側方に延びる板状である。
【０１３１】
第２拡散抑制部１２２は、脱臭フィルタ６２の前端と蓋部１１２の天井面１１２ｃとの間を塞ぐ。これにより、第２拡散抑制部１２２は、噴霧部６３から噴霧された水が脱臭フィルタ６２よりも前方に広がることを抑制する。
【０１３２】
このように、第２拡散抑制部１２２を設けることにより、噴霧部６３から噴霧された水が脱臭フィルタ６２よりも前方に広がることをより抑制することができる。なお、脱臭フィルタ６２の前端とは、より詳しくは、脱臭フィルタ６２において噴霧ノズル１００が設けられた側の端部と反対側の端部である。
【０１３３】
第２拡散抑制部１２２は、上下方向において脱臭フィルタ６２と重ならない位置に配置されている。第２拡散抑制部１２２は、脱臭フィルタ６２よりも外側に位置する。この場合にも、例えば、水滴を第２拡散抑制部１２２で反射させることなどにより、水の広がりを抑制することができる。このように、拡散抑制部は、必ずしも脱臭フィルタ６２と重なる位置に配置しなくてもよい。
【０１３４】
図１５は、第１脱臭ユニットを表す断面図である。  
図１５は、図１４のＩ１−Ｉ２線断面を表す。  
図１５に表したように、蓋部１１２は、第３拡散抑制部１２３と、第４拡散抑制部１２４と、をさらに有する。第３拡散抑制部１２３及び第４拡散抑制部１２４は、蓋部１１２の天井面１１２ｃから下方に延び、噴霧部６３から噴霧された水が脱臭フィルタ６２の外側に広がることを抑制する。
【０１３５】
第３拡散抑制部１２３及び第４拡散抑制部１２４は、噴霧部６３の噴霧方向に延びる。換言すれば、第３拡散抑制部１２３及び第４拡散抑制部１２４は、噴霧部６３の噴霧方向に対して前後方向に延びる。第３拡散抑制部１２３及び第４拡散抑制部１２４は、例えば、前後方向に延びる板状である。
【０１３６】
第３拡散抑制部１２３は、脱臭フィルタ６２の一方の側端と蓋部１１２の天井面１１２ｃとの間を塞ぐ。第４拡散抑制部１２４は、脱臭フィルタ６２の他方の側端と蓋部１１２の天井面１１２ｃとの間を塞ぐ。これにより、第３拡散抑制部１２３及び第４拡散抑制部１２４は、噴霧部６３から噴霧された水が脱臭フィルタ６２よりも側方に広がることを抑制する。
【０１３７】
このように、第２拡散抑制部１２２と第３拡散抑制部１２３と第４拡散抑制部１２４とを設け、脱臭フィルタ６２の前方及び両側方を囲む。これにより、噴霧部６３から噴霧された水が、脱臭フィルタ６２の外側に広がることを、より確実に抑制することができる。噴霧部６３から噴霧された水を、より確実に脱臭フィルタ６２に供給し、無駄な水の発生を、より確実に抑制することができる。
【０１３８】
第３拡散抑制部１２３及び第４拡散抑制部１２４は、上下方向において脱臭フィルタ６２と重ならない位置に配置されている。第３拡散抑制部１２３及び第４拡散抑制部１２４は、脱臭フィルタ６２よりも外側に位置する。第３拡散抑制部１２３及び第４拡散抑制部１２４のそれぞれの位置は、噴霧部６３から噴霧された水の側方への広がりを抑制可能な任意の位置でよい。
【０１３９】
図１６は、第１脱臭ユニットの変形例を表す断面図である。  
図１６に表したように、第２拡散抑制部１２２は、上下方向において脱臭フィルタ６２と重なる位置に配置してもよい。換言すれば、第２拡散抑制部１２２は、脱臭フィルタ６２の内側に配置してもよい。
【０１４０】
この例において、第２拡散抑制部１２２は、フィルタ本体７０の前端部の上に設けられている。これにより、噴霧部６３から噴霧された水の前方への広がりを抑制しつつ、第２拡散抑制部１２２に当たった水を、より確実に脱臭フィルタ６２に供給することができる。
【０１４１】
例えば、脱臭フィルタ６２の外側に配置された第２拡散抑制部１２２と、脱臭フィルタ６２の内側に配置された第２拡散抑制部１２２と、の両方を、蓋部１１２に設けてもよい。これにより、噴霧部６３から噴霧された水が脱臭フィルタ６２よりも前方に広がることを、より確実に抑制することができる。
【０１４２】
図１７は、第１脱臭ユニットの変形例を表す断面図である。  
図１７に表したように、第３拡散抑制部１２３及び第４拡散抑制部１２４は、上下方向において脱臭フィルタ６２と重なる位置に配置してもよい。換言すれば、第３拡散抑制部１２３及び第４拡散抑制部１２４は、脱臭フィルタ６２の内側に配置してもよい。
【０１４３】
この例において、第３拡散抑制部１２３は、フィルタ本体７０の一方の側端部の上に設けられている。第４拡散抑制部１２４は、フィルタ本体７０の他方の側端部の上に設けられている。これにより、噴霧部６３から噴霧された水の側方への広がりを抑制しつつ、第３拡散抑制部１２３及び第４拡散抑制部１２４に当たった水を、より確実に脱臭フィルタ６２に供給することができる。
【０１４４】
例えば、脱臭フィルタ６２の外側に配置された第３拡散抑制部１２３及び第４拡散抑制部１２４と、脱臭フィルタ６２の内側に配置された第３拡散抑制部１２３及び第４拡散抑制部１２４と、のそれぞれを、蓋部１１２に設けてもよい。これにより、噴霧部６３から噴霧された水が脱臭フィルタ６２よりも側方に広がることを、より確実に抑制することができる。
【０１４５】
以上、説明したように、本実施形態に係る衛生洗浄装置１０では、第１拡散抑制部１２１〜第４拡散抑制部１２４によって水の広がりを抑制し、簡単な構成で脱臭フィルタ６２の全体に効率良く水を供給することができる。第１脱臭ユニット４１を備えた衛生洗浄装置１０において、無駄な水の発生を抑制することができる。
【０１４６】
なお、第１拡散抑制部１２１〜第４拡散抑制部１２４は、必ずしも全て設ける必要はない。第１脱臭ユニット４１は、第１拡散抑制部１２１〜第４拡散抑制部１２４の少なくとも１つを有していればよい。第１拡散抑制部１２１〜第４拡散抑制部１２４を第１脱臭ユニット４１に設けることにより、水の広がりを、より確実に抑制することができる。無駄な水の発生を、より確実に抑制することができる。
【０１４７】
また、衛生洗浄装置１０では、第１拡散抑制部１２１が、上下方向において脱臭フィルタ６２と重なる位置に配置されている。これにより、第１拡散抑制部１２１に当たった水を確実に脱臭フィルタ６２に供給することができる。無駄な水の発生をより抑制することができる。
【０１４８】
また、衛生洗浄装置１０では、噴霧部６３が、脱臭フィルタ６２の端部上方に噴霧ノズル１００を配置し、斜め下方に向けて水を噴霧する。これにより、真下に向けて水を噴射する場合と比べて、噴霧に必要な脱臭フィルタ６２と噴霧ノズル１００との間の距離を確保しつつ、噴霧ノズル１００の位置を低くすることができる。第１脱臭ユニット４１を小型化することができる。
【０１４９】
また、衛生洗浄装置１０では、第１拡散抑制部１２１の対向面１２１ａが、噴霧部６３の噴霧方向に向かって下降傾斜する。これにより、第１拡散抑制部１２１に当たった水が、脱臭フィルタ６２の外側に跳ね返ることを抑制し、より確実に脱臭フィルタ６２に水を供給することができ、無駄な水の発生をより抑制することができる。
【０１５０】
また、衛生洗浄装置１０では、天井面１１２ｃが、噴霧部６３の噴霧方向に向かって下降傾斜する。これにより、天井面１１２ｃに水を伝わせることにより、脱臭フィルタ６２の噴霧ノズル１００から遠い部分に、より確実に水を供給することができる。すなわち、脱臭フィルタ６２の前端部に、より確実に水を供給することができる。
【０１５１】
また、衛生洗浄装置１０では、脱臭フィルタ６２のケース部７２が、水受け部７２ａを有する。これにより、止水後の噴霧ノズル１００から滴下した水を、より確実に排水することができる。止水後の噴霧ノズル１００から滴下した水が、蓋部２６の通気孔２６ａから不意にケーシング２０の外部に漏れ出てしまうことを抑制することができる。
【０１５２】
また、衛生洗浄装置１０では、噴霧部６３が、排気口６６と逆向きに水を噴霧する。これにより、噴霧部６３から噴霧された水が、ケーシング２０の外部に排出されてしまうことを抑制することができる。
【０１５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置２や衛生洗浄装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１５４】
２ トイレ装置、  ４ 便器、  １０ 衛生洗浄装置、  １２ 本体部、  １４ 便座、  １６ 便蓋、  ２０ ケーシング、  ２２ ケースカバー、  ２４ ベースプレート、  ２６ 蓋部、  ２７ 突起部、  ２８ 封止部材、  ３０ 洗浄水供給部、  ３１ 着座検知センサ、  ３２ 人体検知センサ、  ３３ ノズルユニット、  ３４ 洗浄ノズル、  ３５ 吐水部、  ３６ ノズル洗浄室、  ３８ 噴霧ノズル、  ４１ 第１脱臭ユニット、  ４２ 第２脱臭ユニット、  ４３ 温風乾燥ユニット、  ４４ 制御部、  ４５ 操作部、  ５０ 流路開閉弁、  ５１ 熱交換器、  ５２ 電解槽、  ５３ バキュームブレーカ、  ５４ 電磁ポンプ、  ５５ 流調・流路切替弁、  ６０ 集塵フィルタ、  ６１ ファン、  ６２ 脱臭フィルタ、  ６３ 噴霧部、  ６４ ダクト部、  ６４ａ 滞留空間、  ６４ｂ 上方空間、  ６４ｃ 導入部、  ６５ 吸気口、  ６６ 排気口、  ７０ フィルタ本体、  ７２ ケース部、  ７４ａ 第１排水口、  ７４ｂ 第２排水口、  ８０ 排水樋、  ８２ 樋本体、  ８４ 蓋部、  ９０ 支持体、  １００ 噴霧ノズル、  １１０ ダクト本体、  １１２ 蓋部、  １２１ 第１拡散抑制部、  １２２ 第２拡散抑制部、  １２３ 第３拡散抑制部、  １２４ 第４拡散抑制部
【図１】
2018031210.tif 000003
【図２】
2018031210.tif 000004
【図３】
2018031210.tif 000005
【図４】
2018031210.tif 000006
【図５】
2018031210.tif 000007
【図６】
2018031210.tif 000008
【図７】
2018031210.tif 000009
【図８】
2018031210.tif 000010
【図９】
2018031210.tif 000011
【図１０】
2018031210.tif 000012
【図１１】
2018031210.tif 000013
【図１２】
2018031210.tif 000014
【図１３】
2018031210.tif 000015
【図１４】
2018031210.tif 000016
【図１５】
2018031210.tif 000017
【図１６】
2018031210.tif 000018
【図１７】
2018031210.tif 000019